(57)【要約】  【課題】ＬＥＤの利用効率が高く、しかも耐久性が高く簡素な構造の照明装置および散光式警光灯を提供する。  【解決手段】本照明装置４１は、第１，第２および第３の固定部７，８，９と、発光ダイオード１１と、光を反射する反射面１３を担持し所定の回動中心軸線１４の周りに回動可能に支持される可動部１５と、可動部１５を回動自在に支持するための受け部としての支持軸１６と、可動部１５を回動させるための電動モータ１７とを備える。反射された光信号の照射方向を変遷させて、ＬＥＤ１１の利用効率を高める。所定の回動中心軸線１４に沿う方向について、支持軸１６はＬＥＤ１１に対して反射面１３を挟んだ反対側に配置され、電動モータ１７は反射面１３に対してＬＥＤ１１と同じ側に配置され、給電部材１９，２１を簡素化でき、耐久性も高くできる。  【選択図】  図４
2005353414.tif 000002
【特許請求の範囲】
【請求項１】
光信号の照射方向を所定の回動中心軸線の周りに変遷させながら、光信号を周囲に照射する照明装置であって、
固定部と、
この固定部に固定される少なくとも一つの発光ダイオードと、
この発光ダイオードからの光を上記所定の回動中心軸線と交差する方向に向けて反射する反射面を担持し上記所定の回動中心軸線の周りに回動可能に支持される可動部と、
上記所定の回動中心軸線に沿う方向について、上記発光ダイオードに対して上記反射面を挟んだ反対側に配置され、上記可動部を上記所定の回動中心軸線の周りに回動自在に支持するために上記固定部に設けられた受け部と、
上記所定の回動中心軸線に沿う方向について、上記反射面に対して上記発光ダイオードと同じ側に配置され上記可動部を回動させるための電動モータとを備えていることを特徴とする照明装置。
【請求項２】
請求項１に記載の照明装置において、上記電動モータの出力軸から同軸上に延設されて上記出力軸と一体回動可能であって、上記所定の回動中心軸線に対して斜め方向に延びている延設軸と、この延設軸と一体回動可能に設けられた小径の駆動ローラと、この駆動ローラの外周に摩擦係合することにより駆動される外周を有して上記可動部と一体回転可能な大径の従動ロータとを含む伝達機構をさらに備えていることを特徴とする照明装置。
【請求項３】
請求項２に記載の照明装置において、上記固定部は、金属部材を含み、上記発光ダイオードは、上記固定部に直接にまたは熱伝導部材を介して間接的に熱伝導可能に取り付けられていることを特徴とする照明装置。
【請求項４】
請求項１から３のいずれかに記載の複数の照明装置と、この複数の照明装置を共通に支持する金属部材を含み車両に取付可能な基台と、この基台に取り付けられて照明装置を覆う透光性のグローブとを備え、上記各照明装置の上記固定部は、上記基台に直接にまたは熱伝導部材を介して間接的に熱伝導可能に取り付けられていることを特徴とする散光式警光灯。
【発明の詳細な説明】
【技術分野】
【０００１】
この発明は、緊急自動車等で利用される散光式警光灯等のための照明装置、およびこれを用いた散光式警光灯に関する。
【背景技術】
【０００２】
上述の照明装置には、光源として発光ダイオード（以下、ＬＥＤともいう。）を利用して、ＬＥＤからの光信号の照射方向を変化させながら光信号を周囲に照射するものがある。
例えば、従来の第１の照明装置として、多数のＬＥＤを円筒形の支持部材の外周面に分散配置するものがある。複数のＬＥＤが上下方向に沿って列をなし、多数列のＬＥＤが、周方向に所定間隔ごとに全周にわたって配置されている。縦一列または隣接する複数列のＬＥＤのみを点灯させ、点灯させた列を順に右もしくは左へ数列ずつずらしていくことにより光が回転しているように見えるようにしている（例えば、特許文献１参照。）。
【０００３】
また、特許文献１には、従来の第２の照明装置として、固定部に対して所定の軸線の周りに回転可能な可動部を設け、この可動部にＬＥＤを設けるものや、可動部にＬＥＤと反射部材とを設けるものが記載されている。可動部とともにＬＥＤを回転させることにより、ＬＥＤからの光の向きを変化させる。通例、可動部に設けたＬＥＤへの給電のためにスリップリング機構等が設けられる。
【０００４】
また、従来の第３の照明装置として、上下に並んで互いに対向して配置される一対の固定板と、この固定板に対して上下方向に沿って延びる所定の軸線の周りに回転可能な反射部材と、この反射部材を回転させるために下側の固定板に固定される電動モータと、上側の固定板に固定されるＬＥＤとを有するものがある（例えば、特許文献２参照。）。
【特許文献１】特開２０００−３１５４０６号公報
【特許文献２】特開平６−３１４５０９号公報
【発明の開示】
【発明が解決しようとする課題】
【０００５】
しかしながら、従来の第１の照明装置では、複数のＬＥＤは予め定められた発光方向でそれぞれ固定されているので、各ＬＥＤは対応する発光方向への光信号にしか利用できず、全体としてＬＥＤの利用効率が低くなっていた。
従来の第２の照明装置では、スリップリング機構に摩耗等が生じ易く、耐久性が低い。従って、ＬＥＤの長寿命であるメリットの一部しか享受できなかった。
【０００６】
従来の第３の照明装置では、電動モータおよびＬＥＤへの給電のための配線等の給電部材が上下に分かれるので、構造が複雑化していた。
そこで、この発明の目的は、ＬＥＤの利用効率が高く、しかも耐久性が高く簡素な構造の照明装置を提供することである。また、この発明の他の目的は、そのような照明装置を用いた散光式警光灯を提供することである。
【課題を解決するための手段】
【０００７】
本発明の照明装置は、光信号の照射方向を所定の回動中心軸線の周りに変遷させながら、光信号を周囲に照射する照明装置であって、固定部と、この固定部に固定される少なくとも一つの発光ダイオードと、この発光ダイオードからの光を上記所定の回動中心軸線と交差する方向に向けて反射する反射面を担持し上記所定の回動中心軸線の周りに回動可能に支持される可動部と、上記所定の回動中心軸線に沿う方向について、上記発光ダイオードに対して上記反射面を挟んだ反対側に配置され、上記可動部を上記所定の回動中心軸線の周りに回動自在に支持するために上記固定部に設けられた受け部と、上記所定の回動中心軸線に沿う方向について、上記反射面に対して上記発光ダイオードと同じ側に配置され上記可動部を回動させるための電動モータとを備えていることを特徴とする。
【０００８】
本発明によれば、ＬＥＤからの光を反射面で反射して光信号を得ることができる。反射面を電動モータにより回動させることにより、光信号の照射方向を変遷させることができる。これにより、少なくとも一つのＬＥＤからの光信号を周囲の広い範囲に向けて発することができるので、照明装置全体としてＬＥＤの利用効率を高めることができる。
また、ＬＥＤと電動モータを反射面に対して同側の固定部に配置したので、ＬＥＤおよび電動モータへの給電のための給電部材を同側にまとめて簡素化でき、ひいては照明装置の構造を簡素化できる。また、ＬＥＤが固定部に固定されるので、給電部材は固定されて摩耗等を生じる虞がなく、耐久性を高くできる。
【０００９】
また、受け部が反射面を挟んでＬＥＤとは反対側に配置されるので、反射面およびＬＥＤのレイアウトが受け部による規制を受けずに済み、反射面およびＬＥＤをスペース効率よくレイアウトすることが可能となり、照明装置を小型化することができる。また、複数のＬＥＤが設けられている場合には、ＬＥＤのレイアウトに、視認性の高いレイアウトを採用することも可能となる。
【００１０】
また、上述の構成において、上記電動モータの出力軸から同軸上に延設されて上記出力軸と一体回動可能であって、上記所定の回動中心軸線に対して斜め方向に延びている延設軸と、この延設軸と一体回動可能に設けられた小径の駆動ローラと、この駆動ローラの外周に摩擦係合することにより駆動される外周を有して上記可動部と一体回転可能な大径の従動ロータとを含む伝達機構をさらに備えることが好ましい。この場合、斜めの延設軸を介することにより、駆動ローラを電動モータの出力軸よりも上記所定の回動中心軸線側に配置することができるので、従動ロータを小径化できて、照明装置をより一層小型化することができる。
【００１１】
また、上記構成において、上記固定部は、金属部材を含み、上記発光ダイオードは、上記固定部に直接にまたは熱伝導部材を介して間接的に熱伝導可能に取り付けられていることが好ましい。この場合、通電時に発光ダイオードが発する熱を効果的に逃がすことができるので、発光ダイオードの温度上昇を抑制することができる。従って、例えば大電流通電時の発光ダイオードの温度上昇を抑制して発光ダイオードの長寿命を維持しつつ、大電流通電時に発せられる高輝度の光により光信号の視認性を高めることができる。
【００１２】
また、本発明の散光式警光灯は、複数の上記照明装置と、この複数の照明装置を共通に支持する金属部材を含み車両に取付可能な基台と、この基台に取り付けられて照明装置を覆う透光性のグローブとを備え、上記各照明装置の上記固定部は、上記基台に直接にまたは熱伝導部材を介して間接的に熱伝導可能に取り付けられていることを特徴とする。この発明によれば、グローブで覆われて発光ダイオードの温度が上昇し易い傾向にあるとしても、通電時に照明装置の発光ダイオードが発する熱を基台を通じて効果的に逃がすことができるので、発光ダイオードの温度上昇を抑制することができる。従って、例えば大電流通電時の発光ダイオードの温度上昇を抑制して発光ダイオードの長寿命を維持しつつ、大電流通電時に発せられる高輝度の光により散光式警光灯の光信号の視認性を高めることができる。
【発明を実施するための最良の形態】
【００１３】
以下では、この発明の一実施の形態を、添付図面を参照して詳細に説明する。本実施形態では、照明装置を、車両取付型の散光式警光灯に適用する場合に則して説明するが、照明装置は、例えば、据え置き型の表示灯等に適用することもできる。
図１は、本発明の照明装置を有する散光式警光灯の一部断面正面図である。
散光式警光灯１は、車両のルーフ２（図１に一点鎖線で一部を図示）に設置されて、周囲の全方向に向けて光信号を放光する。散光式警光灯１は、一方向に長い直線状の外形を有し、その長手方向を車両の左右方向Ｘに沿わせた状態で、複数、例えば、２つの取付部材３を介してルーフ２に固定される。ここで、車両の左右方向Ｘは、車両の進行方向（前後方向Ｙともいう。）と直交する方向であり、車両の幅方向でもある。
【００１４】
なお、以下では、車両への取付状態を基準にして方向について説明する。また、各図には、必要に応じて車両の左右方向Ｘ、前後方向Ｙおよび上下方向Ｚを図示している。
散光式警光灯１は、複数、例えば４つの照明装置４と、複数の照明装置４を共通に支持する基台５と、この基台５に取り付けられて基台５の上部および照明装置４を覆う透光性のグローブ６とを備えている。
【００１５】
基台５は、上記長手方向に沿って長尺の板状に、金属部材としてのアルミニウム製の押出成形部材により形成されている。基台５は、複数の照明装置４を共通に支持している。基台５の下部に、上述の取付部材３が固定されていて、この取付部材３を介して車両に取付可能とされている。基台５の周縁部にはシール材（図示せず）が設けられ、基台５の周縁部とグローブ６との間を封止し、グローブ６内への雨水の侵入を防止している。
【００１６】
複数の照明装置４は、散光式警光灯１の長手方向に並び、基台５の上部に取り付けられている。複数の照明装置４は同様に構成されている。
図２は、照明装置の正面図である。図３は、照明装置の平面図である。図４は、照明装置の側面図である。先ず、図２および図３を参照する。
照明装置４は、基台５に固定されている第１の固定部７と、第１の固定部７の上方に配置される第２の固定部８と、第１および第２の固定部７，８の側方に配置される第３の固定部９とを有している。
【００１７】
また、照明装置４は、第１の固定部７に固定される複数、例えば、６つの光源ユニット１０を有している。各光源ユニット１０は、発光ダイオード１１（一部のみ図示。）と、レンズ１２とを含んでいる。各光源ユニット１０は、上方に向けて光を発する。
照明装置４は、ＬＥＤ１１からの光であってレンズ１２を透過した光を反射するための反射面１３と、反射面１３を担持し第２の固定部８に所定の回動中心軸線１４の周りに回動可能に支持される可動部１５と、可動部１５を回動自在に支持するために第２の固定部８に固定された受け部としての支持軸１６とを有している。支持軸１６の軸線は、平面視で照明装置４の略中心位置に配置されて上下方向に沿って延びていて、上述の所定の回動中心軸線１４に相当する。
【００１８】
また、照明装置４は、可動部１５を回動させるための電動モータ１７と、電動モータ１７の出力軸１７ａの回動運動を可動部１５に伝達する伝達機構１８とを有している。
各ＬＥＤ１１は、電線等の給電部材１９を介して駆動回路２０に接続されている。また、電動モータ１７は、電線等の給電部材２１を介して駆動回路２２に接続されている。
電動モータ１７を駆動することにより、反射面１３を所定の回動中心軸線１４の周りに回動させて、ＬＥＤ１１からの光信号の照射方向Ｄ（図４参照）を所定の回動中心軸線１４の周りに変遷させながら、光信号を周囲の全周にわたって照射することができ、回転光からなる光信号を得る。
【００１９】
図４を参照して、本実施形態では、支持軸１６は、所定の回動中心軸線１４に沿う方向（本実施形態では上下方向Ｚに相当する。）について、ＬＥＤ１１に対して反射面１３を挟んだ反対側に配置されている。一方で、電動モータ１７は、所定の回動中心軸線１４に沿う方向について、反射面１３に対してＬＥＤ１１と同じ側に配置されている。具体的には、ＬＥＤ１１と電動モータ１７は、反射面１３よりも下方に配置されていて、支持軸１６は反射面１３よりも上方に配置されている。
【００２０】
第１の固定部７は、熱の良導体としての金属部材、例えばアルミニウム合金を含む板状部材であり、基台５にねじ止め固定されている。第１の固定部７は光源ユニット１０を支持している。
図３および図４を参照して、第２の固定部８は、上下方向に沿って延びる複数の柱部材２３と、複数の柱部材２３の上端部に複数の接続部２４を介して取り付けられた単一の天板２５とを含む。柱部材２３は第１の固定部７の周囲に配置され、柱部材２３の下端部が基台５にねじ止めにより固定（図示せず）されている。柱部材２３の上端が、接続部２４にねじ止め固定（図示せず）されている。天板２５は矩形に形成され、矩形の四隅から４つの接続部２４がそれぞれ対応する柱部材２３に向けて延設されている。４つの接続部２４と天板２５とは一体に形成され、全体として平面視でＨ字形形状をなしている。第２の固定部８は、可動部１５を支持している。
【００２１】
支持軸１６は、天板２５の中央部に固定されている。支持軸１６は、軸受２６を介して可動部１５を回動自在に支持している。軸受２６は、環状の転がり軸受または滑り軸受を利用できる。支持軸１６が軸受２６を挿通し、支持軸１６の軸方向および径方向について軸受２６の移動を規制する。
第３の固定部９は、電動モータ１７および伝達機構１８の一部を支持している。
【００２２】
可動部１５は、支持軸１６と同心に配置された筒部２７と、筒部２７の外周から径方向外方に延設される円板部２８と、円板部２８の下面から下方へ延びる複数の柱部２９と、柱部２９を介して円板部２８に支持されて所定の回動中心軸線１４に対して傾斜している傾斜板部３０とを有している。
筒部２７の内周は、軸受２６を圧入状態で保持し、支持軸１６の軸方向および径方向について軸受２６を係止している。筒部２７と円板部２８とは一体に形成されている。
【００２３】
傾斜板部３０の中央部が、所定の回動中心軸線１４と交差し、且つ傾斜板部３０の下面が所定の回動中心軸線１４に対して所定の角度、例えば４５度で傾いている。
反射面１３は、傾斜板部３０の下面に、アルミニウム蒸着により平面状に形成されている。反射面１３は、下方から上下方向に沿う光を受けて、所定の回動中心軸線１４と交差する方向、具体的には、直交する方向である水平方向（照射方向Ｄに相当する。）に向けて反射する。
【００２４】
光源ユニット１０は、平面視で、反射面１３の輪郭の内側に、反射面１３の一部と重なり合うようにして、反射面１３の真下に配置されている。
光源ユニット１０のレンズ１２は、ＬＥＤ１１から所定の角度範囲内に発せられた光を、焦点１２ａを通る光軸１２ｂと平行な平行光にするために設けられている。
各ＬＥＤ１１は、放射状に光を発し、発光方向のうちでも光が最も強い方向が設定されている。各ＬＥＤ１１は、上述の光が最も強い方向を上下方向Ｚに沿わせて、光が上方に向いて発せられるようにして、配置されている。また、ＬＥＤ１１からの光をレンズ１２に透過させることにより、レンズ１２を透過した光は、上述の光が最も強い方向に沿う概ね平行光になっている。
【００２５】
各ＬＥＤ１１は、第１の固定部７に熱伝導部材３６を介して間接的に熱伝導可能に取り付けられている。また、第１の固定部７は、基台５に熱伝導部材３７を介して間接的に熱伝導可能に取り付けられている。ＬＥＤ１１が発する熱を、熱伝導部材３６、第１の固定部７および熱伝導部材３７を通じて基台５に効率よく逃がすことができるようにしてある。熱伝導部材３６，３７は、熱の良導体、例えば、熱伝導シート、熱伝導グリース等を用いることができる。
【００２６】
図５は、電動モータ１７および伝達機構１８の斜視図である。図５および図２を参照する。電動モータ１７は、例えば、ブラシレスモータからなり、駆動回路２２により出力軸１７ａを予め定める一方向に連続回転させることができる。
電動モータ１７は、第３の固定部９に、揺動自在に支持されている。すなわち、第３の固定部９には、一対の支軸３１を介して、支軸３１の軸線３１ａの周りに揺動可能な揺動支持部３２が支持されている。支軸３１は、所定の回動中心軸線１４と直交する方向と平行な方向である前後方向に沿って延びている。揺動支持部３２に、電動モータ１７のモータハウジング１７ｂが一体移動可能に固定され、電動モータ１７の出力軸１７ａが上方へ延びている。揺動支持部３２と第３の固定部９との間には、引張コイルばね３３が介在している。引張コイルばね３３は、出力軸１７ａが所定の回動中心軸線１４側に変位するような揺動方向に揺動支持部３２を付勢する付勢手段として機能する。
【００２７】
伝達機構１８は、電動モータ１７の出力軸１７ａから同軸上に延設されて出力軸１７ａと一体回動可能な延設軸３４と、この延設軸３４と一体回動可能に設けられた小径の駆動ローラ３５と、この駆動ローラ３５により駆動され可動部１５に一体回転可能な大径の従動ロータとしての上述の円板部２８とを含んでいる。
本実施形態では、従動ロータとしての円板部２８は、駆動ローラ３５の外周３５ａに摩擦係合することにより駆動される外周２８ａを有している。
【００２８】
延設軸３４は、電動モータ１７の出力軸１７ａと一体に形成されて、長尺軸を構成している。延設軸３４は、出力軸１７ａから軸方向に延設されている。揺動支持部３２が引張コイルばね３３により付勢された状態で、延設軸３４は所定の回動中心軸線１４に対して斜め方向に延びていて、延設軸３４の先端にある駆動ローラ３５が、円板部２８の外周２８ａに当接して押しつけられている。
【００２９】
駆動ローラ３５が上述の従動ロータと摩擦係合することにより、歯車の場合に生じる噛み合い音、歯打ち音等の騒音の発生を防止でき、動作音を低減することができる。
このように本実施形態によれば、ＬＥＤ１１からの光をレンズ１２を透過させて、反射面１３で反射して光信号を得ることができる。反射面１３を電動モータ１７により回動させることにより、光信号の照射方向Ｄを変遷させることができる。これにより、ＬＥＤ１１からの光信号を周囲の広い範囲、例えば、周囲の全方向に向けて発することができるので、照明装置４全体としてＬＥＤ１１の利用効率を高めることができる。例えば、周囲の広い範囲へ向けての光信号を高い視認性で少数、例えば少なくとも一つのＬＥＤ１１により得ることもできる。
【００３０】
また、ＬＥＤ１１および電動モータ１７を反射面１３に対して同側にある第１および第３の固定部７，９に配置したので、ＬＥＤ１１および電動モータ１７への給電のための給電部材１９，２１を同側にまとめて簡素化でき、ひいては照明装置４の構造を簡素化できる。また、ＬＥＤ１１が第１の固定部７に固定されるので、電線等の給電部材１９は固定されて摩耗や疲労破壊等を生じる虞がなく、耐久性を高くできる。
【００３１】
また、発光ダイオードであれば、通常、長寿命を得ることができ、しかも、通例、指向性の高い発光特性を有して、周囲の所定位置にいる人に対して光を集中させて、視認性を高めるのに好ましい。さらに指向性が高くても、回動する反射面１３を用いて発光方向を変遷させて、全周にわたり高い視認性を効率よく得ることができる。
また、受け部としての支持軸１６が、反射面１３を挟んでＬＥＤ１１とは反対側に配置されるので、反射面１３およびＬＥＤ１１のレイアウトが受け部による規制を受けずに済み、反射面１３およびＬＥＤ１１をスペース効率よくレイアウトすることが可能となり、照明装置４を小型化することができる。例えばＬＥＤ１１を所定の回動中心軸線１４が通る位置に配置することが可能となり、ＬＥＤ１１を回動中心軸線１４からずれた位置のみに配置する場合に比べてスペース効率を高くできる。
【００３２】
また、複数のＬＥＤ１１が設けられている場合には、ＬＥＤ１１のレイアウトに、視認性の高いレイアウトを採用することも可能となる。例えば、ＬＥＤ１１を所定の回動中心軸線１４が通る位置と、この位置を中心とした環状をなす複数の位置とに配置でき（図３参照）、光信号を、中抜きの環状光に比べて視認性の高いとされる面状光に見えるようにすることも可能となる。その結果、視認性をさらに高めることができる。
【００３３】
また、上述の伝達機構１８において、斜めの延設軸３４を介することにより、駆動ローラ３５を電動モータ１７の出力軸１７ａよりも所定の回動中心軸線１４側に配置することができるので、従動ロータを小径化できて、照明装置４をより一層小型化することができる。例えば、ＬＥＤ１１および反射面１３よりも所定の回動中心軸線１４からの距離が遠い位置に電動モータ１７を配置するときに、駆動ローラ３５と接する従動ロータの径方向の大きさを可動部１５と同程度か、または可動部１５よりも小さくすることができる。
【００３４】
また、ＬＥＤ１１が、金属部材を含む第１の固定部７に熱伝導可能に取り付けられていることにより、通電時にＬＥＤ１１が発する熱を効果的に逃がすことができるので、ＬＥＤ１１の温度上昇を抑制することができる。従って、例えば大電流通電時のＬＥＤ１１の温度上昇を抑制してＬＥＤ１１の長寿命を維持しつつ、大電流通電時に発せられる高輝度の光により光信号の視認性を高めることができる。
【００３５】
また、本実施形態の散光式警光灯１では、各照明装置４の第１の固定部７は基台５に熱伝導可能に取り付けられている。これにより、グローブ６で覆われてＬＥＤ１１の温度が上昇し易い傾向にあるとしても、通電時に照明装置４のＬＥＤ１１が発する熱を基台５を通じて効果的に逃がすことができるので、ＬＥＤ１１の温度上昇を抑制することができる。従って、例えば大電流通電時のＬＥＤ１１の温度上昇を抑制してＬＥＤ１１の長寿命を維持しつつ、大電流通電時に発せられる高輝度の光により散光式警光灯１の光信号の視認性を高めることができる。
【００３６】
また、ＬＥＤ１１が金属部材を含む第１の固定部７に熱伝導可能に取り付けられていることと、照明装置４の第１の固定部７が基台５に熱伝導可能に取り付けられていることとの両方により、ＬＥＤ１１の温度上昇をより効果的に抑制することができる。
また、電動モータ１７に、ステッピングモータ等のブラシレスモータを使用することによりメンテナンスフリーの照明装置４、ひいては散光式警光灯１を実現できる。
【００３７】
また、可動部１５の円板部２８が、伝達機構１８の従動ロータとして機能し、可動部１５と伝達機構１８の少なくとも一部同士を一体化している。これにより、組立工数を低減でき、軽量化を達成することかできる。
また、電動モータ１７が揺動可能に支持されることにより、所定の回動中心軸線１４に対する延設軸３４の傾斜角度を調節可能とされている。これに加えて、第３の固定部９を取り付けるための固定部としてのねじ孔（図示せず）を選択可能に複数カ所に設け、電動モータ１７を所定の回動中心軸線１４からの距離を調節可能に基台５に固定できるようにする場合には、ＬＥＤ１１の大きさや数に応じて電動モータ１７の取付位置を異ならせることが可能となる。これにより、例えば、より多数のＬＥＤ１１を用いる場合には、電動モータ１７を、所定の回動中心軸線１４から遠ざかる方向にずらして基台５に固定できる。さらに、斜めの延設軸３４により、ＬＥＤ１１からの光を遮ることなく、電動モータ１７からの回転力を従動ロータに伝えることができる。
【００３８】
また、本実施形態について、以下のような変形例を考えることができる。以下の説明では、上述の実施形態と異なる点を中心に説明し、同様の構成については説明を省略し、図示する場合には対応部分に同じ符号を付しておく。
例えば、基台５は、直接に車両に取り付けられてもよい。また、基台５は、複数の部材により構成され、複数の部材のうちの少なくとも一つが、複数の照明装置４を共通に支持する金属部材を含んでいてもよい。また、基台５および第１の固定部７の上述の金属部材としては、アルミニウムの他、鉄等を利用してもよい。
【００３９】
また、第１、第２および第３の固定部７〜９のうちの少なくとも２つの部分を、互いに一体に形成してもよい。また、このようなＬＥＤ１１および電動モータ１７を支持する固定部を基台５と一体に形成することも考えられる。
また、少なくとも一つのレンズ１２を廃止することも考えられる。また、複数の光源ユニット１０が設けられていたが、少なくとも一つが設けられてもよい。
【００４０】
また、ＬＥＤ１１の放熱性に問題がなければ、上記熱伝導部材３６，３７の少なくとも一方を廃止することも考えられる。例えば、各ＬＥＤ１１を、第１の固定部７に直接に面接触した状態で熱伝導可能に取り付けてもよい。また、第１の固定部７を、基台５に直接に面接触した状態で熱伝導可能に取り付けてもよい。
図６は、可動部１５、第２の固定部８の変形例を示す断面図である。
【００４１】
上述の実施形態では、支持軸１６が第２の固定部８に固定され、軸受２６が可動部１５に保持されていたが、逆に、図６に示すように、支持軸１６が可動部１５に固定され、軸受２６が第２の固定部８に保持されるようにしてもよい。この場合、支持軸２６は、可動部１５と一体回動し所定の回動中心軸線１４に沿って延び、軸受２６を介して第２の固定部８により支持される。第２の固定部８は、軸受２６を受ける受け部としての受け座３９を形成されている。また、受け座３９は、第２の固定部８と別体で形成して固定してもよく、受け座３９を第２の固定部８に設けてあればよい。
【００４２】
また、電動モータとして、直流モータを用いることも考えられる。また、上述の実施形態では、電動モータ１７を一方向に連続回転させていたが、所定角度、例えば、３６０度を回動するごとに、回動方向を反転させて、往復回動させることも考えられる。
伝達機構１８の延設軸３４は、所定の回動中心軸線１４に対して平行に延びる場合も考えられる。また、延設軸３４は、電動モータ１７の出力軸１７ａと別体に形成されて、一体回動可能に出力軸１７ａと連結されてもよい。
【００４３】
図７に示す変形例では、伝達機構１８Ａは、反射面１３の下方に支持部材４１を介して固定され可動部１５と一体回動する環状の従動ロータ４０を有している。従動ロータ４０の外周４０ａに、電動モータ１７の出力軸１７ａに固定された駆動ローラ３５が摩擦係合していて、延設軸３４は廃止されている。支持部材４１は、傾斜板部３０の外周縁部から下方に延設されていて、外周縁部のうちでも、反射面１３と所定の回動中心軸線１４との交点よりも下方にある部分から延設されている。光源ユニット１０からの光は、従動ロータ４０の内側を通って反射面１３に達する。
【００４４】
また、上述の実施形態では、円板部２８が従動ロータと一体に形成されていたが、従動ロータとして機能する部材（図示せず）を可動部１５とは別体で形成して、可動部１５に一体回動可能に連結してもよい。
また、上記付勢手段としての引張コイルばね３３は、その一端を第３の固定部９と係合させ、他端を揺動支持部３２および電動モータ１７の少なくとも一方と係合させて、揺動支持部３２および電動モータ１７を、円板部２８に対して上記揺動方向に付勢してあればよい。また、上記付勢手段として引張コイルばね３３が用いられているが、これには限定されない。例えば、付勢手段としてねじりコイルばね（図示せず）、板ばね等のばね部品を用いてもよい。これらのばね部品の一端を第２の固定部８に係合させ、ばね部品の他端を揺動支持部３２および電動モータ１７の少なくとも一方に係合させることにより、揺動支持部３２を円板部２８に対して上記揺動方向に付勢することができる。その他、特許請求の範囲に記載された事項の範囲で種々の設計変更を施すことが可能である。
【図面の簡単な説明】
【００４５】
【図１】本発明の一実施形態の照明装置を備える散光式警光灯の一部断面正面図である。
【図２】図１の照明装置の拡大した正面図である。
【図３】図１の照明装置の拡大した平面図である。
【図４】図１の照明装置の拡大した側面図である。
【図５】図１の第３の固定部、電動モータ等の斜視図である。
【図６】受け部の変形例の断面図である。
【図７】伝達機構の変形例の模式図である。
【符号の説明】
【００４６】
１  散光式警光灯
２  ルーフ（車両）
４  照明装置
５  基台
６  グローブ
７  第１の固定部
８  第２の固定部
９  第３の固定部
１１  発光ダイオード
１３  反射面
１４  所定の回動中心軸線
１５  可動部
１６  支持軸（受け部）
１７  電動モータ
１７ａ  （電動モータの）出力軸
１８，１８Ａ  伝達機構
２８  円板部（従動ロータ）
２８ａ  外周
３４  延設軸
３５  駆動ローラ
３５ａ  外周
３６，３７  熱伝導部材
３９  受け座（受け部）
４０  従動ロータ
４０ａ  外周
Ｄ  光信号の照射方向（交差する方向）
【図１】
2005353414.tif 000003
【図２】
2005353414.tif 000004
【図３】
2005353414.tif 000005
【図４】
2005353414.tif 000006
【図５】
2005353414.tif 000007
【図６】
2005353414.tif 000008
【図７】
2005353414.tif 000009